(57)【要約】【課題】静電気対策のための着脱作業等を行うことなく、ＣＣＤや回路部材に対する静電気の影響を確実に防止する。【解決手段】電子内視鏡１４のコネクタ差込み部１５をプロセッサ装置１６のコネクタ受け部１７に結合するコネクタ装置において、例えば上記差込み部１５に可動接片２３ａ〜２３ｎを設け、上記差込み部１５と受け部１７が結合していない時は、静電気の影響を防止するためにコネクタ端子２２ａ〜２２ｎをグランド等電位線に接続し、上記差込み部１５と受け部１７が結合する時は、その結合動作によってコネクタ端子２２ａ〜２２ｎとグランド等電位線との接続を切り離すようにする。これにより、静電気の影響を容易かつ確実に防止することができる。【選択図】  図１
2004267488.tif 000002
【特許請求の範囲】
【請求項１】
コネクタの差し込み部を受け部に結合して電子内視鏡をプロセッサ装置に接続する電子内視鏡装置用コネクタ装置において、
上記差込み部と受け部に設けられたコネクタ端子と、
グランドに接続されたグランド等電位線と、
上記の差込み部と受け部が結合しない時は、静電気の影響を防止するために上記コネクタ端子と上記グランド等電位線とを接続し、上記の差込み部と受け部が結合する時は、その結合動作によって上記コネクタ端子と上記グランド等電位線の接続を切り離すようにした機械的切換え手段と、を設けたことを特徴とする電子内視鏡装置用コネクタ装置。
【発明の詳細な説明】
【０００１】
【発明の属する技術分野】
本発明は電子内視鏡装置用コネクタ装置、特に電子内視鏡とプロセッサ装置を接続するコネクタ装置での静電気対策の構成に関する。
【０００２】
【従来の技術】
電子内視鏡装置は、固体撮像素子であるＣＣＤ（Ｃｈａｒｇｅ  Ｃｏｕｐｌｅｄ  Ｄｅｖｉｃｅ）等を電子内視鏡（電子スコープ）の先端部に搭載して被観察体内を撮像し、この電子内視鏡で得られたＣＣＤの撮像信号をプロセッサ装置へ出力し、このプロセッサ装置で映像処理を施すことにより、被観察体の映像をモニタへ表示するものである。そして、上記の電子内視鏡とプロセッサ装置の接続はコネクタ装置で行われる。
【０００３】
図７には、従来の電子内視鏡装置用コネクタ装置の接続部の構成が示されており、図示されるように、電子内視鏡１側のコネクタ差込み部２ではその中央部基板３の上下面に複数の信号線の端子４ａ，４ｂ…が形成されている。一方、プロセッサ装置５側のコネクタ受け部６にはその内部上下面に複数の信号線の端子７ａ，７ｂ…が形成されており、コネクタの結合によって、上記端子４ａと７ａ、４ｂと７ｂとが接続される。
【０００４】
図８（Ａ）には、上記電子内視鏡のコネクタ部とＣＣＤとの接続状態が示されており、電子内視鏡１の先端に配置されたＣＣＤ９に対しコネクタ装置の回路基板１０が接続される。この回路基板１０には、ＣＣＤ９から撮像信号を読み出し、かつ所定の信号処理をするＩＣ回路１１が設けられており、この回路基板１０に接続する形で図示の信号線端子４ａ，４ｂ，４ｃ，４ｄが配置される。
【０００５】
【特許文献１】
特開平９−３２７４３４号公報
【０００６】
【発明が解決しようとする課題】
しかしながら、従来の電子内視鏡装置用コネクタ装置では、電子内視鏡１をプロセッサ装置５から外したときに、人体等、外部で発生した静電気［図８（Ｂ）に示すサージＥ１］がそれぞれのコネクタ装置の端子４ａ〜４ｄ，７ａ，７ｂ…から内部へ流れ、上記ＩＣ回路１１やＣＣＤ９を破壊する恐れがあるという問題があった。また、静電気は電子内視鏡１の外装金属部１Ｍ［図８（Ａ）］から内部へ侵入し、内部回路に影響を与えることも起こり得る。
【０００７】
従来では、特開平９−３２７４３４号公報に示されるように、コネクタ部の接続ピンに接触する導電性部材を防水キャップに設け、この導電性部材をシール部材に接続して静電気の影響をなくすことも行われている。しかし、この場合は、静電気対策のために必ず防水キャップを取り付けなければならず、この防水キャップの着脱が煩雑である。
【０００８】
また、従来では、図８に示されるように、例えば回路基板１０から端子４ａ，４ｂ，４ｃの間の信号線にサージアブソーバー１２を接続し、これによって静電気の影響を抑制することも行われる。しかし、この場合は、信号線毎にサージアブソーバー１２を接続することからコスト高となり、また信号線がグランドに直接接続されていないので、静電気対策として十分ではない。
【０００９】
本発明は上記問題点に鑑みてなされたものであり、その目的は、静電気対策のための着脱作業等を行うことなく、ＣＣＤや回路部材に対する静電気の影響を確実に防止することができる電子内視鏡装置用コネクタ装置を提供することにある。
【００１０】
【課題を解決するための手段】
上記目的を達成するために、本発明は、コネクタの差し込み部を受け部に結合して電子内視鏡をプロセッサ装置に接続する内視鏡用コネクタ装置において、上記差込み部と受け部に設けられたコネクタ端子と、グランドに接続された（接地された）グランド等電位線と、上記の差込み部と受け部が結合しない時は、静電気の影響を防止するために上記コネクタ端子と上記グランド等電位線とを接続し、上記の差込み部と受け部が結合する時は、その結合動作によって上記コネクタ端子と上記グランド等電位線の接続を切り離すようにした機械的切換え手段と、を設けたことを特徴とする。
【００１１】
上記の構成によれば、コネクタの差込み部を受け部から外した時、即ち電子内視鏡をプロセッサ装置から取り外す動作時に、機械的切替え手段によって自動的にコネクタ端子がグランド等電位線に接続される。従って、電子内視鏡の非接続時には、必ずコネクタ端子はグランドと等電位となり（接地され）、静電気の影響を確実に防止することができる。
【００１２】
【発明の実施の形態】
図１乃至図４には、第１実施例に係る電子内視鏡装置用コネクタ装置の構成が示され、まず図４の全体図から説明する。図４に示されるように、電子内視鏡１４のコネクタ差込み部（雄型）１５は、プロセッサ装置１６のコネクタ受け部（雌型）１７に結合するように構成されており、このコネクタ受け部１７では、図１及び図２にも示されるように、内部上下面に複数の信号線の端子２０ａ，２０ｂ…２０ｎ（ｎ：任意数）が形成される。
【００１３】
図１において、一方のコネクタ差込み部１５には、その中央部基板２１の上下面に複数の信号線の端子２２ａ，２２ｂ…２２ｎが形成され、この端子２２ａ，２２ｂ…２２ｎが上記コネクタ受け部１７側端子２０ａ，２０ｂ…２０ｎに接続される。そして、このコネクタ差込み部１５の内部上下面に、機械的切換え手段として、例えばバネ状金属板を折り曲げ形成してなる複数の可動切片２３ａ，２３ｂ…２３ｎが配置される。
【００１４】
図３には、上記の可動接片２３ａ，２３ｂ…２３ｎのうち上側に配置される部分が示されている。この複数の可動接片２３ａ，２３ｂ…（２３ｎ）は、例えば合成樹脂製のフレキシブル基板２４に一体となるように形成されており、折り曲げられた状態で一方が上記中央部基板２１の上下の端子２２ａ，２２ｂ…（２２ｎ）に接続する位置に配置され、他方はグランド等電位線（図５の５０）に接続される。なお、この可動接片２３ａ，２３ｂ…２３ｎは上記コネクタ差込み部１５の内壁に個別に取り付けるようにしてもよい。
【００１５】
図５（Ａ）には、上記可動接片２３ａ，２３ｂ…２３ｎの回路上の接続状態が示されており、この図５（Ａ）に示されるように、ＣＣＤ９に接続された回路基板１０及びＩＣ回路１１のコネクタ端子２２ａ，２２ｂ…２２ｎは全て、可動接片２３ａ，２３ｂ…２３ｎのバネ不勢力の接触によりグランド等電位（接地電位）に保たれる。
【００１６】
第１実施例は以上の構成からなり、図１に示されるように、電子内視鏡１４側のコネクタ差込み部１５がプロセッサ装置１６側のコネクタ受け部１７に差し込まれると、端子２０ａ，２０ｂ…２０ｎと端子２２ａ，２２ｂ…２２ｎが接触すると共に、可動接片２３ａ，２３ｂ…２３ｎが端子２２ａ，２２ｂ…２２ｎから離れ、オフ（開）になる。この場合は、上記端子２０ａ，２０ｂ…２０ｎと端子２２ａ，２２ｂ…２２ｎの接続により従来と同様に、信号の伝送、電源の供給が行われ、これによって電子内視鏡１４のＣＣＤ９による被観察体の撮像、モニタ表示が実行される。
【００１７】
一方、図２に示されるように、電子内視鏡装置の使用が終了し、上記コネクタの差込み部１５が受け部１７から取り外されると、端子２２ａ，２２ｂ…２２ｎが端子２０ａ，２０ｂ…２０ｎから離れると同時に、可動接片２３ａ，２３ｂ…２３ｎがそのバネ不勢力によって端子２２ａ，２２ｂ…２２ｎに接触し、オン（閉）となる。この場合は、図５に示されるように、グランド等電位線５０に接続された可動接片２３ａ，２３ｂ…２３ｎによって端子２２ａ，２２ｂ…２２ｎがグランド（ＧＮＤ）に接続され、グランド等電位となる。
【００１８】
従って、この実施例によれば、図５（Ｂ）に示されるように、外部から入力される静電気のサージＥ１はグランドＧＮＤと等電位となり、人体への帯電等で生じた静電気が電子内視鏡１４のコネクタ端子２２ａ，２２ｂ…２２ｎに与えられ、また電子内視鏡１４の外装金属等から侵入して内部の信号線に与えられたとしても、これによってＣＣＤ９やＩＣ回路１１が壊れることはない。
【００１９】
図６には、機械的切換え手段として機械的スイッチを用いた第２実施例の構成が示されている。図６に示されるように、第２実施例のコネクタ差込み部２５には、一方が中央部の端子２２ａ，２２ｂ…２２ｎに接続され、他方がグランドに接続された機械的スイッチ２６ａ，２６ｂ…２６ｎが設けられている。この機械的スイッチ２６ａ，２６ｂ…２６ｎは、作動釦が押された時、開（オフ）となり、作動釦の押下が解除された時、閉（オン）となるものである。
【００２０】
このような第２実施例の構成によれば、図１のように、コネクタの差込み部２５を受け部１７に差し込んだ時、機械的スイッチ２６ａ，２６ｂ…２６ｎはそれぞれの操作釦が押し込まれて開となる。一方、上記差込み部２５を受け部１７から取り外した時には、機械的スイッチ２６ａ，２６ｂ…２６ｎはそれぞれの操作釦が元へ戻って閉となり、この場合はコネクタ端子２２ａ，２２ｂ…２２ｎがグランドと等電位となって静電気の影響が良好に防止される。
【００２１】
上記実施例では、電子内視鏡１４側のコネクタ差込み部１５に、可動接片２３ａ，２３ｂ…２３ｎ又は機械的スイッチ２６ａ，２６ｂ…２６ｎの機械的切換え手段を設けたが、コネクタの結合形式を逆にしてプロセッサ装置１６側のコネクタ受け部１７に機械的切換え手段を設け、プロセッサ１６側の回路を保護するように構成することもできる。
【００２２】
【発明の効果】
以上説明したように、本発明によれば、機械的切換え手段を用いて、コネクタの差込み部と受け部が結合していない時は、静電気の影響を防止するためにコネクタ端子とグランド等電位線とを接続し、上記コネクタの差込み部と受け部が結合する時は、その結合動作によってコネクタ端子とグランド等電位線の接続を切り離すようにしたので、静電気対策のための着脱作業等を行うことなく、ＣＣＤや回路部材への静電気の影響を確実に防止することができるという効果がある。
【図面の簡単な説明】
【図１】本発明の第１実施例に係る電子内視鏡装置用コネクタ装置の結合時の構成を示す図である。
【図２】第１実施例に係る電子内視鏡装置用コネクタ装置の非結合時の構成を示す図である。
【図３】第１実施例の電子内視鏡側コネクタ差込み部の可動接片と中央部端子の上側の構成を示す図である。
【図４】第１実施例のコネクタ装置の全体の概観を示す斜視図である。
【図５】第１及び第２実施例の電子内視鏡のコネクタ部及び可動接片とＣＣＤの接続状態を示す図である。
【図６】第２実施例の電子内視鏡側コネクタ差込み部の構成を示す断面図である。
【図７】従来の電子内視鏡装置用コネクタ装置の構成を示す断面図である。
【図８】従来の電子内視鏡のコネクタ部とＣＣＤの接続状態を示す図である。
【符号の説明】
１，１４…電子内視鏡、
５，１６…プロセッサ装置、
２，１５，２５…コネクタ差込み部、
６，１７…コネクタ受け部、
４ａ〜４ｄ，７ａ，７ｂ，２０ａ〜２０ｎ，２２ａ〜２２ｎ…端子、
２３ａ〜２３ｎ…可動接片、
２６ａ〜２６ｎ…機械的スイッチ。
【図１】
2004267488.tif 000003
【図２】
2004267488.tif 000004
【図３】
2004267488.tif 000005
【図４】
2004267488.tif 000006
【図５】
2004267488.tif 000007
【図６】
2004267488.tif 000008
【図７】
2004267488.tif 000009
【図８】
2004267488.tif 000010